(57)【特許請求の範囲】
【請求項１】
袋体の型紙の図形は、平行する２直線の中央で直角に交差する２直線が並行する２直線と接する４箇所の点を、連続して構成する直角三角形と方形の連続する図形で、平行する２直線が直角三角形の斜辺となり、全ての斜辺に斜辺を一辺とする方形を連続して隣接する、斜辺を一辺とする方形の対辺に対辺を一辺とする方形が隣接する図形を連続して配置し、２つの同一の方形と２つの同一の三角形に一つの方形の５つの図形の組み合わせを一片として取出すことで、方形の面部と一対の対角線で向き合う２つの同一の三角形の面部の袋部は、２つの面部で形成される筒部の内部を貫通する空間が対角線の結合部を界に筒部と袋部を区分し、筒部と袋部の対角線を折り曲げて閉鎖し、折り戻して開放する手段とする袋体を作製する、元型の図形としたことを特徴とする袋体の図形の型紙。        
【請求項２】
請求項１記載の図形の型紙から袋体の型紙を取り出し、紙、布、合成樹脂のシート状素材で形成し、袋部に筒部を凸設して結合し、袋口または筒口あるいは袋口と筒口に開閉手段か結合手段を設けた袋体を形成し、袋部と筒部を閉鎖区分する構造を特徴とする袋体。
【発明の詳細な説明】
【技術分野】
【０００１】
本発明は一時的に開閉が繰り返される袋体の構造に関する。
【背景技術】
【０００２】
従来の袋体は、袋口に紐やファスナー・ホック・フラップによる蓋、あるいは袋体の口部折り曲げによる袋体の開閉方法が行われていた。特許文献１では袋体１と入口部２からなり、入口部２は袋体１の上面３を立ち上げて形成し、入口部２の上端部にはシール４を設けていると記載されている。特許文献２では左右のサイドシール部に跨がる中間シール部が突きでる状態で設けられており、その中間シール部の根元部分を拠点として折りかえすことにより再封出来ることを特徴とする包装袋と記載されている。
【先行技術文献】
【特許文献】
【０００３】
【特許文献１】特開２００１−６３７３３号公報。
【特許文献２】特開２０１３−３９９３５号公報。
【発明の概要】
【発明が解決しようとする課題】
【０００４】
従来の袋体は、袋口に紐やファスナー・ホック・フラップによる蓋あるいは袋体の口部折り曲げによる袋体の開閉方法が行われていたが、一時的に開閉を繰り返す袋体では不便である。特許文献１では立ち上げた入口部２は開口幅が少なく物品の出し入れが不便である。また、立ち上げた入口部では水圧がシールに作用しないためで筒部または袋部ではない。特許文献２には中間シ−ル部が突き出る状態で設けられているが筒部または袋部ではなく、厚みのある物品の収納が困難である。本発明は袋体に物品を収納、取り出しを素早い動作でおこなえ、袋体の中にゴミやチリが入らないように袋部に筒部または袋部を凸設して結合させ、その結合部を折り曲げ、折り戻して袋体を開閉することで一時的な袋体の閉鎖をおこなう袋体の構造と、その袋体を形成する配置の図面より導き出される図形から形成する元型の型紙を提供する。
【課題を解決するための手段】
【０００５】
請求項１は、袋体の型紙の図形は、平行する２直線の中央で直角に交差する２直線が並行する２直線と接する４箇所の点を、連続して構成する直角三角形と方形の連続する図形で、平行する２直線が直角三角形の斜辺となり、全ての斜辺に斜辺を一辺とする方形を連続して隣接する、斜辺を一辺とする方形の対辺に対辺を一辺とする方形が隣接する図形を連続して配置し、２つの同一の方形と２つの同一の三角形に一つの方形の５つの図形の組み合わせを一片として取出すことで、方形の面部と一対の対角線で向き合う２つの同一の三角形の面部の袋部は、２つの面部で形成される筒部の内部を貫通する空間が対角線の結合部を界に筒部と袋部を区分し、筒部と袋部の対角線を折り曲げて閉鎖し、折り戻して開放する手段とする袋体を作製する、元型の図形としたことを特徴とする袋体の図形の型紙である。
【０００６】
請求項２は、請求項１記載の図形の型紙から袋体の型紙を取り出し、紙、布、合成樹脂のシート状素材で形成し、袋部に筒部を凸設して結合し、袋口または筒口あるいは袋口と筒口に開閉手段か結合手段を設けた袋体を形成し、袋部と筒部を閉鎖区分する構造を特徴とする袋体である。
【発明の効果】
【０００８】
袋体の袋部Ｅの面部Ｂa・Ｂｂに筒部Fまたは筒部Fの辺ヌ・オを結合した袋部を凸設して結合し、その結合部の辺ヘ・トを折り曲げ、折り戻すことで閉鎖区分し、物品の収納と取り出しを素早い動作でおこなえ、袋の中にゴミやチリが入らないようにし、物品の傷や破損を防ぐ袋体である。さらに、物品の形状・量などにより袋体の面部をデザインすることができる。
【０００９】
袋体の図形を配列、配置することで材料に無駄なく効率よく袋体を形成できる。図１８の配置図は袋体１を形成する元型であり、収納する物品に適した展開図の図形を原形として得られる。
【図面の簡単な説明】
【００１０】
【図１】本発明の第一実施図。
【図２】本発明の第二の実施図。
【図３】本発明の第二の実施の断面図
【図４】本発明の第一の展開図。
【図５】本発明の第一の展開図の配列図。
【図６】本発明の第二の展開図。
【図７】本発明の第二の展開図の配列図。
【図８】本発明の第三の展開図。
【図９】本発明の第三の展開図の配列図。
【図１０】本発明の第三の展開図の配置図。
【図１１】本発明の第三の実施図。
【図１２】本発明の第四の展開図。
【図１３】本発明の第四の展開図の配置図。
【図１４】面部Ａを分割した配列図。
【図１５】１Ｚ・２Ｚと３Ｚ・４Ｚ間の配置図。
【図１６】１Ｘ・２Ｘと３Ｘ・４Ｘ間の配置図。
【図１７】本発明の第２と第４の展開図の結合図。
【図１８】本発明の全ての展開図を含む配置図。
【図１９】切断線を示す第四の実施図。
【図２０】第四の実施図を切断して対角線で閉鎖した図。
【図２１】本発明の第五の袋体の実施図。
【図２２】本発明の第六の袋体の実施図。
【図２３】本発明の第七の袋体の実施図。
【図２４】本発明の第六と第七の袋体の断面図。
【図２５】本発明の第八の袋体の実施図。
【発明を実施するための形態】
【００１１】
本発明の袋体の図４を基に実施形態を参照して説明する。
本発明は紙、布、合成樹脂等のシート状素材で形成した袋体で、図１は袋部Ｅの三角形の面部Ｂａの斜辺ヘを介して袋部の方形の面部Ｄを結合し、方形の面部Ｄは、斜辺ヘと平行する筒口辺ヌと筒部Ｆの面部Ｃの筒口辺オの開口部にファスナーＧ２・ホック等の開閉手段を設けるか、縫合・接着して結合して袋部としてもよい。さらに筒部Ｆの面部Ｃに対角線の辺トを介して三角形の面部Ｂｂを結合し、三角形の面部Ｂｂの辺チと方形の面部Ａの辺イの開口部にファスナーＧ１・ホック等の開閉手段を設け、その面部Ａの辺ハを介して三角形のＢaと結合する。周縁部の辺を縫合・接着等で結合し、面部Ａと三角形の面部Ｂa・Ｂｂで方形の袋部Ｅを形成する。方形の面部Ａの点２と点６を結合し、点２と点７を結合する。その方形の面部Ａの点４に斜辺ヘ・トの空間部のある一対の対角線で面部Ｃ・Ｄの筒部Ｆと結合する。面部Ｃ・Ｄは周縁部を縫合・接着等で結合するとともに、辺ヌと辺オを結合し袋部を形成してもよい。筒部Ｆの筒口のファスナーを閉めて方形の袋部Ｅの袋口の辺イ・チから木の葉や植物残渣、家庭の生ゴミ等を入れ袋の対角線を折り曲げることにより一時的な閉鎖ができる。生ゴミ等の物品を袋の対角線まで入れ両端の口部のファスナーを締め、対角線を折り曲げて袋を揺り動かすことで堆肥化を促し、堆肥は筒部Ｆの辺ヌ・オから取り出す。図１はコンポスト袋に使用する。
【００１２】
図４は図１の袋体の展開図で方形の面部Ａ・Ｃ・Ｄと三角形の面部Ｂa・Ｂｂを点４に週設し、それぞれの面部の辺ロ、ハ・へ・ル・トを折り曲げ、袋部Ｅの袋口の辺イ・チと、方形の面部Ｃ・Ｄの筒部Ｆの辺オ・ヌを除いた辺二と辺ホを接着・縫合等により結合し、さらに、辺リと辺ワを接着・縫合等で結合して方形の面部Ａに重ねた三角形の面部Ｂa・Ｂｂの方形の袋部Ｅの三角形の面部Ｂa・Ｂｂの一対の斜辺に筒部Ｆを結合する。内側が空間の一対の斜辺ヘ・トは、袋部Ｅと筒部Ｆを斜辺で折り曲げることで空間が閉鎖され袋部Ｅと筒部Ｆが区分される。図１の袋体の各面部の面積・辺の長さ・三角形の辺の角度は使用目的の袋体により変えることができ、袋体を形成する袋口の縁辺にファスナーＧ・ホック・等の閉鎖手段を設けてもよい。
【００１３】
図３は、辺ヌ・オの筒口が袋体の袋口である図２のＹからＹ´の断面で、面部Ａ・Ｂa・Ｂｂの袋部Ｅに内部が空間の斜辺ヘと辺トを介して面部Ｃ・Ｄの筒部を結合する、結合部の斜辺ヘと斜辺トは１対の折り曲げ部で同一方向に折り曲げることで、筒部と袋部を閉鎖し、折り戻すと筒部内と袋部内は貫通する。２図は図６の辺イ・チを接合した展開図を使用した袋体で、メガネケースや小銭入れ等に利用する。図１１は辺イ・チを袋口とする図の袋体で、図４の辺ヌ・オを結合した図１２の展開図は、面部Ｃ・Ｄの筒部Ｆを袋部に形成する。面部Ａに重なる三角形の面部Ｂa・Ｂｂの点４、点６間の斜辺へと、点４・点７間の斜辺トの対角線を介して折り返すことで方形の面部Ａと一対の対角線で向き合う三角形の面部Ｂa・Ｂｂの袋部Ｅは、面部Ｃ、Ｄで形成される筒部Ｆの内部を貫通する空間が対角線を界に面部Ｃ・Ｄの筒部と面部Ａ・Ｂa・Ｂｂの袋部を区分し、筒部Ｆと袋部Ｅを対角線を折り曲げて閉鎖し、折り戻して開放する手段とすることを特徴とする袋体である。図４、図６、図８、図１２の展開図は一片の図形で、折り線を折って袋体を形成する展開図の面部図Ａ・Ｂa・Ｂｂ・Ｃ・Ｄの配置は、一片の図形が特異な図形形状となり、一片の図形を連続し特異な配列・配置を形成する袋体の元型として、図５、図７、図９、図１４はテープ状の材料から袋体を形成する展開図を取り出す配列を示す図である。
【００１４】
図１０、図１３、図１５、図１６、図１８は展開図の配列を配置した図で袋体の使用目的、使用材料に適した展開図の配列、配置を選択使用する。展開図４、図８、図１２は方形の面部と三角形の面部を接続する面部の配置と面部の隣接を替えて、折り曲げ線を接合部に替え、接合部を折り曲げ線に替える折り曲げ部、結合部、接着、縫合部の各面部をそれぞれの展開図に合う面部を配置するように組みかえることで接続する斜辺の閉鎖部が袋部Eと筒部Fを区分する袋体を形成する展開図である。方形の面部Ｃに三角形の面部Ｂｂを斜辺トで結合し、方形の面部Ｄに三角形の面部Ｂａを斜辺ヘで結合することで対角線を形成し、折り曲げ線の対角線の斜辺ヘ・トは面部Ａ・Ｂa・Ｂｂ・Ｃ・Ｄの面部を備えることで図１の袋体を形成する。図７は図２の袋体を形成する展開図の辺ヌと辺オを袋口とする展開図６をテープ状の材料に配置したものである。図８は図６の展開図を方形の中に面部Ｃ、Ｄの筒部Ｆと三角形の面部Ａa、Ａｂの面部を分割して展開し各面部を配置し、方形の周縁を袋口とする辺ヌと辺オを除いて結合し図１の袋体を形成する展開図である。さらに図９は図８をテープ状に配列した配置図である。図１０は図８の展開図をシート体より取り出し、図２の袋体を形成する配置図である。図１１は図１２の展開図または、図１の袋体の筒口の辺ヌと辺オを縫合・接着等により結合し、開口部とする辺イと辺チの周縁にファスナーＧで閉鎖部を設けた袋体である。図１２の展開図は図１１の袋体を形成する展開図で図１３はシート状の材料に図１２の展開図を配置し材料のロスを少なくしたものである。
【００１５】
図１４は図４の展開図の袋体の口部となる辺ヌ、オを一直線上に延長し、対角線となる辺ヘ・トの斜辺も一直線上に延長する。さらに、袋体の口部の点８、１０、９に並行するように方形の面部Ａの点３から点５を切断し、切断した線の点３、５を延長するとテープ状となり、そのテープ上で袋の口部となる辺ヌ・オの延長線から点３、５の延長線に、方形の面部Ａを分割した面部ＡとＢa、Ｂｂ、Ｃ、Ｄの面部が配置される図である。図１５は図１４の１Ｚと２Ｚの間でテープを切断しさらに３Ｚと４Ｚ間を切断すると、図１４のテープ状に袋体が連続して配列した展開図から、辺オ、ヌを袋口とする袋体の展開図を取り出し、袋口となる辺ヌ・オを除いて切断線を縫合・接着等で結合して折り曲げ線を折り、一対の対角線の折り曲げ部で袋部と筒部を区分した袋体を形成する。さらに、図１５は図１４の配列をシート体に配置した辺オ、ヌを袋口とする袋体が形成できる。図１６は図１４の１Ｘ、２Ｘの間と３Ｘ、４Ｘの間で切断し袋体を形成する配置図である。図１４の配列図から１Ｚ、２Ｚ間３Ｚ、４Ｚ間また１Ｘ、２Ｘ間３Ｘ、４Ｘ間の切断線に限らずテープの２個所を切断して一片として取り出し、その一片に袋体の各面部を配置して、切断線を結合することのより目的の袋体を形成できる。
【００１６】
図１８に含まれる袋体を形成する展開図は、２つの同一の方形と２つの同一の直角三角形に一つの方形の５つの図形の組み合わせを一片として取り出すことで直角三角形Ｂa、Ｂｂの斜辺と方形の対角線の長さが等しい方形の面部Ａは、三角形の対辺と燐辺の長さが方形の面部Ａの対向する片の長さである。三角形のＢaの燐辺に燐辺と等しい長さの辺を方形の面部Ａに隣接する。その方形の面部Ａの対向する辺に三角形のＢｂの燐辺を隣設する。隣設は方形の面部Ａの対角線の一方の直角に三角形Ｂaの直角を一致させ、対角線の他方に三角形のＢｂの直角を一致させると三角形Ｂaの斜辺と三角形Ｂｂの斜辺は平行線になり、平行線を延長し、平行線の内側に方形の面部Ａに直角三角形の面部Ｂa、Ｂｂの配置を繰り返し延長する。三角形の斜辺の長さを一辺とする方形の面部Ｃを三角形の面部Ｂｂの斜辺に隣設して、面部Ｃと同形の面部Ｄを三角形の面部Ｂaの斜辺に隣設すると、面部Ｂa・Ｂｂの斜辺で平行線を延長し、配置された図形は無限に広がる連続する図形となり、袋体の展開図を導き出す元型となるので図１８は特異な図形配置方法である。三角形の燐辺を一辺とする方形の面部に三角形の燐辺を結合する。さらに、三角形の斜辺を一辺とする方形を斜辺に結合する。そして、三角形の対辺を一辺とする方形を三角形の対辺に結合する。三角形の燐辺と対辺に結合する方形は同一の方形となり、図４の展開図等の展開図を構成するので三角形の斜辺を一対の対角線とする袋体が形成できる。
【００１７】
図１８は本発明に記載した袋体を形成する図２１、図２３を除く展開図が含まれている配置図で、図１８の図形で直角三角形の斜辺が袋部の対角線で、方形の面部Ａの対角をつなぐ対角線で分割された２つの直角三角形Ｂa・Ｂｂは一対の対角線で、面部Ａの方形の角に三角形の直角が一致するように２つの三角形を組み合わせ、面部Ａに重ね合わせ袋部Ｅを形成する。図１８は袋部Ｅの一対の対角線が一直線となり、その直線に各面部を配置する事で対角線を折り曲げて閉鎖する袋体の対角線である。図１８は平行する２直線の中央で直角に交差する２直線が平行する２直線と接する４個所の点を、連続して構成する直角三角形と方形の連続する図形で、平行する２直線が直角三角形の斜辺となり、全ての斜辺に斜辺を一辺とする方形を連続して隣接する、斜辺を一辺とする方形の対辺に対辺を一辺とする方形が隣接する図形を無限に連続させる方法である。図１８の図形から袋体を形成する展開図をみちびきだし、直角三角形の斜辺で袋体を折り曲げて閉鎖する袋体を形成する。
【００１８】
図１８の配置図を元型にして袋体の面部Ａ、Ｂa、Ｂｂ、Ｃ、Ｄの図形の面積を加算する和の面積を一片として、図１８の図面のいずれかの部分からでも袋体を形成する展開図を取り出せる。取り出した展開図は袋体を形成するための原型の型紙を作成する図形に使用する。図１８から本発明に記載した袋体を形成する展開図以外の展開図の作成は図１８の部分を一片、あるいは一片の面部で分割するか、または、一片の面部を分割して分断した面部Ａ、Ｂa、Ｂｂ、Ｃ、Ｄの面積の和を取り出すと、本発明に記載した展開図以外の展開図ができ、図１の袋体の原型の型紙も作製することができる。さらに図１８を使用し、図１の袋体を形成する袋体の展開図の面部Ａ，Ｂa、Ｂｂ、Ｃ、Ｄの面積を一片として取り出して、５面の面積を加算した和を１８図のどの部分から取り出しても図形パターンは無限にできるので、袋体を対角線で折り曲げることで袋体を区分して内部の空間が閉鎖され、袋部と袋部または筒部と袋部を閉鎖・区分する対角線をそなえた袋体を得ることができ、図形の各面部の面積・辺の長さ・三角形の角度を変えることで図形の展開図は使用目的の袋体を容易に形成できる図面である。図１８は図形から袋体１を作成する折り紙パズルの配置図として、また、袋体１を折る折り紙の図形パズルに利用できる。
【００１９】
図２の袋体を形成する図６の展開図は方形の面部Ａに辺ハを介して折り返し、燐接する三角形の面部Ｂaを方形の面部Ａに重ね、点５で折り返して辺二と辺ホを接着・縫合にして結合し、三角形の面部Ｂaは方形のＡの面部に重なる対角線の斜辺ヘを介して折り曲げて、方形の面部Ｄをさらに隣接する。方形の面部Ａの辺ハに対向する辺を介して折り返し、隣接する三角形の面部Ｂｂは、方形の面部Ａに重なる対角線の斜辺トを介して折り曲げて、隣接する方形の面部Ｃをさらに連接し、面部Ｄの辺リと面部Ｃの辺ワを接着・縫合等で結合し、面部Ｄの辺リに対向する辺ルと面部Ｃの辺ワに対向する辺を接着・縫合等で結合し、方形の面部Ｄの辺ヌと方形の面部Ｃの辺オが袋口となり、方形の面部Ａに重なる三角形の面部Ｂa、Ｂｂからなる袋部Ｅに、面部Ｃ・Ｄからなる袋部が対角線を介して凸設するように接続し、三角形の面部Ｂaの対角線の辺ヘと三角形の面部Ｂｂの対角線の斜辺トの空間部が貫通し、物品を面部Ａと三角形の面部Ｂa・Ｂｂから成る方形の袋に収納するとともに、対角線を折り曲げて袋を簡易的に閉鎖することができる。
【００２０】
図１１の袋体の展開図の図１２は、方形の面部Ａと三角形の面部Ｂa、Ｂｂを重ね、内部が貫通した対角線を介して方形の面部Ｃ、Ｄを重ね、袋口となる辺イ・チを除き展開図の袋体の周縁部を縫合・接着などで結合した袋体で、袋口の辺イ・チの周縁部にファスナー等の閉鎖手段を設けてもよい。図１７は図６と図１２の展開図の各面部の図形を連続して連結する図で、図１７の図形から図６・図１２の展開図を取り出して各袋体を形成する。図１７の各面部の図形を連続して連結する手段は、図４の点１０を回転軸に面部Ｃ・Ｂｂを回転し点９に点８を重ね合わせ辺ヌと辺オを同一線とする。または、点３を回転軸に面部Ｂｂ・Ｃを回転し、点２に点７を重ね合わせ辺イと辺チを同一線とする袋体を形成する５面を取り出すと、対角線の閉鎖部を有する袋体を形成できる。
【００２１】
図８は図６を方形の面部Ａの点３から延ばした線が面部Ｃの辺オと直角に接した点で面部Ｃを分割して、点５から延ばした線が面部Ｄの袋口となる辺ヌと直角に接した点で面部Ｄを分割し、図６の展開図を方形の図形とする展開図で、図１０は図８の連続する配置の図形で袋体の材料を図８の一片の方形パターンにすることで材料のロスを減らすことができる。図５、図７、図９、図１４はロールのテープ状の材料から連続して取りだすことができる。さらに、図１０、図１３、図１５、図１６、図１８はシート状の材料から袋体の展開図を導き出して取り出す図である。図１２の展開図は、方形の面部Ｃの辺オと方形の面部Ｄの辺ヌが同一線に結合し、折り線とすることにより筒部Ｆは袋部を形成する。辺チを袋口とする三角形の面部Ｂｂと三角形の面部Ｂaを組み合わせ空間のある一対の対角線の有る方形を構成し、辺イを袋口とする方形の面部Ａとで袋部Ｅを形成する。斜辺トとヘが面部Ｃ・Ｄで形成される袋部と、面部Ａ・Ｂa・Ｂｂで形成される袋部を閉鎖区分し、袋口から物品をＣ・Ｄの面部で形成された袋部に収納した物品の出し入れを頻繁におこなわれる場合に簡便である。また、スナック菓子等は菓子を収納した後に、袋口を接着等により密封し封入された物品を取り出す場合にも、辺イ・チを鋏等で切り開け袋口にする。
【００２２】
図１９は物品が面部Ｃ、Ｄの袋部に封入されている袋体の図でありＷ、Ｗ´の間を切り開け物品を取り出すことができる。図２０は図１９の切り開け開放された袋口を辺ヘ・トで折り曲げ一時的に簡易な閉鎖をした図であり袋体の開閉を頻&#32363;におこなう菓子の袋・シンクの生ゴミ収納袋に使用することができる。台所のシンクの生ゴミ入れ袋として利用するには、面部Ｃ・Ｄの筒部を袋部にする図２０の袋体に、袋部Eの辺ヌ・オの袋口から生ごみを投入し、辺ヘ・トを折り曲げて簡易に袋体を閉鎖して虫の侵入や臭いを防げる。頻繁に開閉を繰り返す折り曲げた袋部Eの袋口は、水平から垂直に向かって傾斜する下向きとなって、辺トは折り曲げられ辺ヘは折り戻され袋体は閉鎖区分される。辺ヘが折り曲げられ辺トが折り戻されると、袋口は上向きとなり、水平から垂直に向かって傾斜するので物品を投入することが楽にできる。図１９は面部Ｃ・Ｄが袋部で面部Ａ・Ｂa・Ｂｂの袋部は収納する物品デザイン等により形成する。図２１は図１９のＷ、Ｗ´と同様に切り開いて使用する。図２２・図２３は面部Ａ、Ｂa、Ｂｂで形成する袋部Ｅにポケットティッシュ・メガネ・小銭・手帳等を収納する袋体である。図２４の断面図は図２２、図２３K−K´の断面図で面部Ｃ・Ｄで形成する、筒部Ｆの筒口の辺ヌ・オから物品の出し入れを頻&#32363;におこなえる。辺ト・ヘを折り曲げ閉鎖をして物品を保護するケースの袋体である。本発明は袋部の面部に凸状の筒部あるいは袋部を設け、その袋部と凸設する筒部あるいは袋部の結合部を折り曲げることにあるので袋部、筒部の形状は物品の形状、袋体のデザイン等の目的に合わせ形成し、図２３は図２２の袋部をデザインした図である。デザインは主に衣類、バッグ等デザインを重視する場合に行い、衣類、バッグのポケット等にパーツとして組み入れる。図２５は、厚みのある物品や収納物の量の多い物品の収納に使用する袋体で、凸設した筒部と袋部を閉鎖区分する袋体は、面部Ａ・Ｂa・Ｂｂ・Ｃ・Ｄの部分に襠を形成する折り線を付け、袋体の使用目的の物品に合わせて袋体に厚みを付ける。持ち手を袋体の面部に縫合・接着するか、辺にはさみ込んで持ち手とする帯状片を結合して、持ち運びに便利な袋体を形成してもよい。
【符号の説明】
【００２３】
１      袋体            
Ｅ      袋部        
Ｆ      筒部
Ｇ      ファスナー
Ａ・Ｂa・Ｂｂ・Ｃ・Ｄ    面部
ロ・ハ・ニ・ホ・ヘ・ト・リ・ル    辺
イ・チ      袋口の辺  
ヌ・オ      筒口の辺
２〜１０      図形の点
Ｗ−Ｗ´      切断線
１Ｘ−２Ｘ    切断線
３Ｘ−４Ｘ    切断線
１Ｚ−２Ｚ    切断線
３Ｚ−４Ｚ    切断線                
ＹーＹ´      断面
Ｋ−Ｋ´      断面
【要約】      （修正有）【課題】袋体に物品を収納、取り出しを素早い動作でおこなえ、袋体の中にゴミやチリが入らないように、一時的な袋体の閉鎖をおこなう袋体の構造と、その袋体を形成する配置の図面より導き出される図形から形成する元型になる図形の型紙を提供する。【解決手段】袋体1の袋部Ｅに筒部Ｆを凸設して結合し、結合部を折り曲げ折り戻して、袋部Ｅと筒部Ｆを閉鎖区分する袋体１である。その袋体１の展開図の配置から元型になる図形を導き出して、袋体１の原型とする図形の型紙である。【選択図】図１【図１】
0005548867.tif 000002
【図２】
0005548867.tif 000003
【図３】
0005548867.tif 000004
【図４】
0005548867.tif 000005
【図５】
0005548867.tif 000006
【図６】
0005548867.tif 000007
【図７】
0005548867.tif 000008
【図８】
0005548867.tif 000009
【図９】
0005548867.tif 000010
【図１０】
0005548867.tif 000011
【図１１】
0005548867.tif 000012
【図１２】
0005548867.tif 000013
【図１３】
0005548867.tif 000014
【図１４】
0005548867.tif 000015
【図１５】
0005548867.tif 000016
【図１６】
0005548867.tif 000017
【図１７】
0005548867.tif 000018
【図１８】
0005548867.tif 000019
【図１９】
0005548867.tif 000020
【図２０】
0005548867.tif 000021
【図２１】
0005548867.tif 000022
【図２２】
0005548867.tif 000023
【図２３】
0005548867.tif 000024
【図２４】
0005548867.tif 000025
【図２５】
0005548867.tif 000026